(57)【要約】【課題】撮像画像全体が暗い場合でも、撮像画像内の高輝度被写体に焦点を迅速に合わせることができるデジタルカメラを提供する。【解決手段】フォーカスレンズと、撮像素子と、輝度信号生成手段と、低周波フィルタと、高周波フィルタと、レンズ駆動手段とを備え、輝度信号生成手段で生成された輝度信号に基づいて、低周波フィルタで生成された低周波評価データと高周波フィルタで生成された高周波評価データとのいずれかを選択し、選択した低周波評価データまたは高周波評価データに基づいてオートフォーカス動作を行う。【選択図】  図１
2004198699.tif 000002
【特許請求の範囲】
【請求項１】
入力された光学的信号である画像の焦点を合わせるフォーカスレンズと、
前記フォーカスレンズから入力された画像を光学的信号から電気的信号に変換する撮像素子と、
前記撮像素子で生成された電気的信号に基づいて輝度信号を生成する輝度信号生成手段と、
前記輝度信号生成手段で生成された輝度信号から所定帯域の空間周波数成分を低周波評価データとして取得する低周波フィルタと、
前記輝度信号生成手段で生成された輝度信号から、前記低周波フィルタで取得する低周波評価データよりも帯域の平均値が高周波側にシフトした空間周波数成分を高周波評価データとして取得する高周波フィルタと、
前記フォーカスレンズを駆動するレンズ駆動手段と、
前記輝度信号生成手段で生成された輝度信号に基づいて、前記低周波フィルタで生成された低周波評価データと前記高周波フィルタで生成された高周波評価データとのいずれかを選択し、選択した低周波評価データまたは高周波評価データに基づいて前記レンズ駆動手段を制御する演算処理手段とを有することを特徴とするデジタルカメラ。
【発明の詳細な説明】
【０００１】
【発明の属する技術分野】
本発明は、いわゆる山登り方式による自動焦点（以下、ＡＦ）制御を実施するデジタルカメラに関し、特に、低輝度画像中の高輝度被写体を撮影するのに適したデジタルカメラに関するものである。
【０００２】
【従来の技術】
近年、デジタルカメラでは、ＣＣＤを利用したパッシブ型のＡＦ制御が一般的になってきている。パッシブ型のＡＦ制御は、アクティブ型のＡＦ制御に比べて、装置の製造コストが安価である等のメリットを有する。
【０００３】
また、パッシブ型、アクティブ型を問わず、ＡＦ制御には、焦点出しに要する時間の短縮化と焦点出しの正確さが一般に望まれている。
【０００４】
これらの課題を解決するための従来のデジタルカメラ（例えば、特許文献１）を、以下説明する。図４は、従来のデジタルカメラの構成を示すブロック図である。
【０００５】
図４において、フォーカスレンズ１は、入力された光学的信号である画像の焦点を合わせるものであり、ＣＣＤ２は、フォーカスレンズ１から入力された画像を光学的信号から電気的信号に変換するものであり、輝度信号生成手段３は、ＣＣＤ２で生成された電気的信号に基づいて輝度信号を生成するものであり、レンズ駆動手段４は、モータ等からなり、フォーカスレンズ１をフォーカスレンズ１の光軸方向（矢印Ａ方向又はＢ方向）に駆動するものである。
【０００６】
また、低周波フィルタ５は輝度信号生成手段３で生成された輝度信号から所定帯域の空間周波数成分を低周波評価データとして取得するフィルタであり、高周波フィルタ６は輝度信号生成手段３で生成された輝度信号から、低周波フィルタ５で取得する低周波評価データよりも帯域の平均値が高周波側にシフトした空間周波数成分を高周波評価データとして取得するフィルタである。
【０００７】
ここで、図５を用いて、低周波フィルタ５および高周波フィルタ６の特性を説明する。図５は、低周波フィルタ５および高周波フィルタ６の振幅特性を示す特性図である。図５において、横軸は輝度信号の空間周波数を示し、縦軸はフィルタの振幅特性を示す。図５から明らかなように、低周波フィルタ５は輝度信号の低周波成分まで透過するのに対して、高周波フィルタ６は輝度信号の高周波成分しか透過しない。
【０００８】
また、低周波フィルタ５または高周波フィルタ６を透過する評価データは、フォーカスレンズの位置に伴い変化して、図７に示す軌跡を形成する。ここで、図７は、通常の明るさの画像を撮像したときの低周波フィルタ５または高周波フィルタ６を透過する評価データの軌跡を示す模式図であり、横軸はフォーカスレンズの位置であり、縦軸は評価データの強度を示す。
【０００９】
次に、演算処理手段５７は、マイコン等からなり、まず、低周波フィルタ５で生成された低周波評価データに基づいてレンズ駆動手段４を制御し、その後に、高周波フィルタ６で生成された高周波評価データに基づいてレンズ駆動手段４を制御することにより、オートフォーカス動作を制御するものである。
【００１０】
以上のように構成されたデジタルカメラの動作を図４および図６を用いて説明する。図６は、従来のデジタルカメラのオートフォーカス動作を示すフローチャートである。
【００１１】
フォーカスレンズ１に入力される画像をＣＣＤ２で電気的信号に変換して、撮像が開始されると（Ｓ５１）、輝度信号生成手段３はＣＣＤ２で生成された電気的信号から輝度信号を生成する（Ｓ５２）。次に、低周波フィルタ５は輝度信号から低周波評価データを生成し、演算処理手段５７はその低周波評価データに基づいてレンズ駆動手段４を制御し、その制御により、レンズ駆動手段４はフォーカスレンズ１を矢印Ａ方向またはＢ方向に移動する（Ｓ５３）。以上の動作の結果、演算処理手段５７が合焦点を検出できた場合（Ｓ５４）にはステップＳ５５に移行する一方、演算処理手段５７が合焦点を検出できなかった場合（Ｓ５４）にはステップＳ５８に移行する。
【００１２】
ステップＳ５５では、高周波フィルタ６は輝度信号から高周波評価データを生成し、演算処理手段５７はその高周波評価データに基づいてレンズ駆動手段４を制御し、その制御により、レンズ駆動手段４はフォーカスレンズ１を矢印Ａ方向またはＢ方向に移動する。ステップＳ５５の動作の結果、演算処理手段５７が合焦点を検出できた場合（Ｓ５６）には、画像の記録のために画像の圧縮変換等の動作に移行する（Ｓ５７）。一方、演算処理手段５７が合焦点を検出できなかった場合（Ｓ５６）には、合焦が不可能であると判断して撮像を中止する（Ｓ５８）。
【００１３】
次に、図４に示す構成を有し、図６に示す動作をする従来のデジタルカメラを用いて、通常の明るさの画像を、フォーカスレンズ１が図７中のＣ０の位置にある状態から撮像を開始する際の動作を図４〜７を用いて説明する。ここで、通常の明るさとは、昼間の屋外や照明をつけているときの屋内における明るさをいい、夜間の屋外のような暗い状況を除外する意味である。
【００１４】
ＣＣＤ２は、フォーカスレンズ１が図７中のＣ０の位置にある状態で、通常の明るさの画像を撮像し（Ｓ５１）、輝度信号生成手段３は輝度信号を生成し（Ｓ５２）、低周波フィルタ５は輝度信号から低周波評価データを生成する（Ｓ５３）。そして、フォーカスレンズ１を位置Ｃ０の近傍で矢印Ａ方向またはＢ方向に変動させると、演算処理手段５７は、フォーカスレンズ１を矢印Ａ方向に移動させることにより低周波評価データが増加することを検知できる。そこで、演算処理手段５７は、レンズ駆動手段４を制御してフォーカスレンズ１を矢印Ａ方向に駆動する（図７中の▲２▼）。その後、演算処理手段５７はフォーカスレンズ１を矢印Ａ方向に移動しても低周波評価データが変化しないフォーカスレンズ１の位置（図７中の▲３▼）を検知できる（Ｓ５４）。
【００１５】
次に、演算処理手段５７は、高周波フィルタ６からの高周波評価データを受けて、フォーカスレンズ１を矢印Ａ方向に移動すると高周波評価データが増加することを検知する。そこで、演算処理手段５７は、レンズ駆動手段４を制御してフォーカスレンズ１を矢印Ａ方向に駆動する（図７中の▲４▼）。その後、演算処理手段５７はフォーカスレンズ１を矢印Ａ方向に移動しても高周波評価データが変化しないフォーカスレンズ１の位置としてＣ１を検知できる（Ｓ５６）。
【００１６】
以上のように、従来のデジタルカメラは、低周波評価データに基づくオートフォーカス動作をした後、高周波評価データに基づくオートフォーカス動作を行うようにしたため、フォーカスレンズ１が合焦点位置からある程度外れている場合でも低周波評価データの軌跡の傾きが大きいため、即座にオートフォーカス動作を開始でき、さらに、最終的には高周波評価データに基づいてオートフォーカス動作を行うので、焦点が正確にあった画像を撮像することが可能である。
【００１７】
仮に、低周波評価データに基づくオートフォーカス動作をしないで、撮像開始後直ぐに高周波評価データに基づくオートフォーカス動作をすると、フォーカスレンズ１が合焦点位置からある程度外れている状態から撮像を開始した場合には、そのフォーカスレンズ１の位置での高周波評価データの傾きは小さいため、フォーカスレンズ１を矢印Ａ方向またはＢ方向のどちらに移動すれば良いのかがわからず、結果としてオートフォーカス動作に長時間を要することとなる。
【００１８】
【特許文献１】
特開昭６３−１５７５７８号公報
【００１９】
【発明が解決しようとする課題】
しかしながら上記の従来の構成では、通常の明るさの画像を撮像する際には有効であるが、夜景等の全体が暗い画像を撮像する際には問題点を有する。以下、この問題点について説明する。
【００２０】
ここで、模式図８に示す画像２０を撮像する場合を検討する。画像２０は、夜の高速道路を写したものである。図８において、２１は自動車が走行するための路面であり、２２は夜間走行のための照明を提供する照明ポールであり、２３ａ、ｂは蛍光灯やハロゲンランプ等の高輝度光源である。従って、画像２０は、高輝度光源２３ａ、ｂの近傍が明るく、その他の部分は暗いという画像である。
【００２１】
模式図９に示すように、輝度信号生成手段３が生成した画像２０の輝度信号から生成された評価データは、画面全体が暗いために、高輝度光源の影響でスミアなどの低周波のノイズが発生し、低周波評価データも高周波評価データも、通常の明るさの画像を撮像したときより、軌跡の形状がなだらかになる。特に、低周波評価データは、低周波ノイズの影響を受けやすく、山型を示さずほとんど平坦な形状となる。低周波評価データの形状が平坦では、演算処理手段７は、評価データの増減によって合焦点位置を判定しているので、フォーカスレンズ１を図１における矢印Ａ方向またはＢ方向のどちらに移動すれば良いのかが判定できない。そこで、演算処理手段７は合焦点の検出が不能と判断するか、評価データを高周波評価データに切替えて、合焦点を検知することとなる。
【００２２】
その結果、従来のデジタルカメラでは、画像２０のような全体が暗い画像を撮像した際には、オートフォーカスが不能と判定されるか、合焦点までに長時間を要するという問題点を有する。
【００２３】
なお、図９は、画像全面が暗く、部分的に高輝度被写体を有する画像を撮像したときの低周波フィルタ５または高周波フィルタ６を透過する評価データの軌跡を示す模式図であり、横軸はフォーカスレンズの位置であり、縦軸は評価データの強度を示す。
【００２４】
本発明は上記従来の問題点を解決するもので、撮像画像全体が暗い場合でも、撮像画像内の高輝度被写体に焦点を迅速に合わせることができるデジタルカメラを提供することを目的とする。
【００２５】
【課題を解決するための手段】
この目的を達成するために本発明のデジタルカメラは、入力された光学的信号である画像の焦点を合わせるフォーカスレンズと、フォーカスレンズから入力された画像を光学的信号から電気的信号に変換する撮像素子と、撮像素子で生成された電気的信号に基づいて輝度信号を生成する輝度信号生成手段と、輝度信号生成手段で生成された輝度信号から所定帯域の空間周波数成分を低周波評価データとして取得する低周波フィルタと、輝度信号生成手段で生成された輝度信号から、低周波フィルタで取得する低周波評価データよりも帯域の平均値が高周波側にシフトした空間周波数成分を高周波評価データとして取得する高周波フィルタと、フォーカスレンズを駆動するレンズ駆動手段と、輝度信号生成手段で生成された輝度信号に基づいて、低周波フィルタで生成された低周波評価データと高周波フィルタで生成された高周波評価データとのいずれかを選択し、選択した低周波評価データまたは高周波評価データに基づいてレンズ駆動手段を制御する演算処理手段とを備えた構成を有している。
【００２６】
この構成によって、通常の明るさの撮像画像なのか、高輝度被写体が存在し、全体が暗い撮像画像なのかを、輝度信号に基づいて自動的に検知することができる。さらに、高輝度被写体が存在し、全体が暗い撮像画像の場合には、そのような画像について適した自動焦点動作を行うので、このような場合でも、迅速に高輝度被写体に焦点を合わせることができる。
【００２７】
【発明の実施の形態】
以下、本発明の実施の形態について、図１〜３、５及び図７〜９を用いて説明する。
【００２８】
（実施の形態）
図１は本発明の実施の形態におけるデジタルカメラの構成を示すブロック図である。図１において、従来と同一の構成要素には同一番号を付与し説明を省略する。
【００２９】
本発明の実施の形態におけるデジタルカメラが従来のデジタルカメラと異なる点は、従来のデジタルカメラの演算処理手段５７が、低周波フィルタ５で生成された低周波評価データに基づいてレンズ駆動手段４を制御し、その後に高周波フィルタ６で生成された高周波評価データに基づいてレンズ駆動手段４を制御するのに対して、演算処理手段７は、輝度信号生成手段７で生成された輝度信号に基づいて、低周波フィルタ５で生成された低周波評価データと高周波フィルタ６で生成された高周波評価データとのいずれかを選択し、選択した低周波評価データまたは高周波評価データに基づいてレンズ駆動手段４を制御する点にある。
【００３０】
また、バッファ８は、輝度信号生成手段３で生成された輝度信号の強度を記憶するものである。より詳しくは、撮像画像を複数の評価ブロックに分割して、各評価ブロック毎に輝度信号の強度を累積して記憶するものである。また、操作手段９は、モードダイヤル等からなり、ユーザーの操作により、演算処理手段７に対して、自動モードか夜景モードかのいずれかを指示するものである。なお、ＣＣＤ２は本発明の撮像素子の一例である。
【００３１】
本発明の実施の形態に係るデジタルカメラの動作を図１及び図２を用いて説明する。図２は、本発明の実施の形態に係るデジタルカメラの動作を示すフローチャートである。
【００３２】
ＣＣＤ２がフォーカスレンズ１から入力された光学的信号である画像を電気的信号に変換することにより、撮像を開始し（Ｓ１）、輝度信号生成手段３はＣＣＤ２で生成された電気的信号から輝度信号を生成し、バッファ８は、１つの評価ブロック内の輝度信号の強度の平均値（以下、レベルｙ（ｎ）という。ｎは、１，２、・・・ｎ、・・・であり、何番目の評価ブロックかを示す。）を評価ブロック毎に記憶し、さらに全画面の輝度信号の強度の平均値（以下、レベルＹという。）を記憶する（Ｓ２）。次に、操作手段９が、自動モードを指示している場合（Ｓ３）にはステップＳ４に移行し、夜景モードを指示している場合にはステップＳ９に移行する。
【００３３】
次に、ステップＳ４において、演算処理手段７は、バッファ８からレベルＹおよびレベルｙ（１）を取得し、レベルｙ（１）がレベルＹの所定倍率以上であれば、ステップＳ９に移行し、所定倍率未満であればステップＳ５に移行する。そして、ステップＳ５において、演算処理手段７は、全評価ブロックについて、レベルｙ（ｎ）とレベルＹとの比較評価を行ったかどうかを判定し、全評価ブロックについて評価をしていない場合には、次の評価ブロックについて（Ｓ６）、ステップＳ４の評価を行う。その結果、ステップＳ４でレベルｙ（ｎ）がレベルＹの所定倍率以上になる評価ブロックがあると判定されるまで、評価ブロックを更新しながら（Ｓ６）ステップＳ４で評価され続ける。一方、全評価ブロックについてステップＳ４の評価をしたにも関わらず、ステップＳ４の判定基準を満たす評価ブロックが無かった場合には、ステップＳ７に移行する。
【００３４】
次に、ステップＳ７において、低周波フィルタ５は輝度信号から低周波評価データを生成し、演算処理手段７はその低周波評価データに基づいてレンズ駆動手段４を制御し、その制御により、レンズ駆動手段４はフォーカスレンズ１を矢印Ａ方向またはＢ方向に移動する。以上の動作の結果、演算処理手段７が合焦点を検出できた場合（Ｓ８）にはステップＳ９に移行する一方、演算処理手段７が合焦点を検出できなかった場合（Ｓ８）にはステップＳ１２に移行する。
【００３５】
ステップＳ９では、高周波フィルタ６は輝度信号から高周波評価データを生成し、演算処理手段７はその高周波評価データに基づいてレンズ駆動手段４を制御し、その制御により、レンズ駆動手段４はフォーカスレンズ１を矢印Ａ方向またはＢ方向に移動する。ステップＳ９の動作の結果、演算処理手段７が合焦点を検出できた場合（Ｓ１０）には、画像の記録のために画像の圧縮変換等の動作に移行する（Ｓ１１）。一方、演算処理手段７が合焦点を検出できなかった場合（Ｓ１０）には、合焦が不可能であると判断して撮像を中止する（Ｓ１２）。
【００３６】
以上の動作の結果、ユーザーが操作手段９を操作して夜景モードに設定している場合（Ｓ３）、または測定した輝度信号の強度から夜景を撮影していると演算処理手段７が判定した場合（Ｓ４においてＹｅｓと判定した場合）には、低周波評価データによるＡＦ動作（Ｓ７）は行わずに、直ちに高周波評価データによるＡＦ動作（Ｓ９）を行うことになる。
【００３７】
以上の図１に示す構成を有し、図２に示す動作をする本発明の実施の形態に係るデジタルカメラを用いて、模式図８に示す画像２０を自動モードで撮像した場合の動作を図１〜３、８および９を用いて説明する。なお、図３は、図８に示す画像に評価ブロック２４およびＡＦ評価枠２５を追記した模式図である。
【００３８】
画像２０の撮像を開始すると（Ｓ１）、輝度信号生成手段３は輝度信号を生成し、バッファ８は輝度信号の強度を記憶する（Ｓ２）。このとき、画像２０は、図３に示すように、画面全体を複数の評価ブロック２４に分割され、バッファ８は、この評価ブロック２４毎にレベルｙ（ｎ）（ｎ＝１、２、・・・、１４４）を記憶する。
【００３９】
次に、夜景モードかどうかを判断すると（Ｓ３）、自動モードであるので、ステップＳ４に移行する。すると、演算処理手段７は、撮像画面２０の全画面の輝度信号の強度の平均値であるレベルＹと、画像２０内の２７番目であってＡＦ評価枠２５内の１番目である評価ブロックの輝度信号の強度の平均値であるレベルｙ（２７）を比較する。そうすると、この評価ブロック内には明るい被写体がないので、レベルｙ（２７）がレベルＹの所定倍率未満となり、ステップ５に移行する。次に、画像２０内の２８番目であってＡＦ評価枠２５内の２番目である評価ブロックの判定に移行して（Ｓ４）、この評価ブロックも高輝度被写体を含まないため、ステップ５に移行する。次に、画像２０内の２９番目であってＡＦ評価枠２５内の３番目である評価ブロックの判定に移行する（Ｓ４）。すると、画像２０は高輝度光源２３ａ、ｂの近傍を除いて暗い画像であるためレベルＹの値は小さいのに対して、この評価ブロックには高輝度光源２３ａが含まれるためレベルｙ（２９）の値が大きく、レベルｙ（２９）がレベルＹの所定倍率以上であることにより、ステップＳ９に移行するよう演算処理手段７は判定する。すなわち、演算処理手段７は、画像２０が全体としては暗いものの高輝度被写体を含む画像であることを判定するのである。
【００４０】
その後、演算処理手段７は、フォーカスレンズ１の位置がＣ０である状態（図９中の▲１▼）から、フォーカスレンズ１の位置を変動させてみる（図９中の▲２▼）。すると、フォーカスレンズ１がＣ１近傍にあるときに高周波評価データが増加することを検知し、フォーカスレンズ１を矢印Ａ方向に移動すれば合焦点を検知できることを判断する。その後、演算処理手段７は、高周波評価データに基づいてＡＦ動作を行い（図９中の▲３▼）、Ｃ２を合焦点として検知する（Ｓ１０）。その結果、高輝度光源２３ａおよび２３ｂに焦点が合った画像を撮像することができる。最後に、画像２０の記録のために圧縮変換等の動作を開始する（Ｓ１１）。
【００４１】
以上のように、ユーザーは自動モードに設定しておけば、本発明の実施の形態に係るデジタルカメラは、画像２０が全体としては暗く、部分的に高輝度被写体を有する画像であることを自動的に判定でき、そのような画像２０に適する高周波評価データを用いてＡＦ制御を行うことができる。
【００４２】
なお、画像２０が仮に高輝度光源２３のような高輝度被写体がない場合には、画像２０はどこにも明るいところがなく、焦点を合わせるべき箇所が見つからないので、焦点を合わせることは不可能である。この点に関しては、従来のデジタルカメラを用いた場合も同様である。
【００４３】
次に、本発明の実施の形態に係るデジタルカメラを用いて、通常の明るさの撮像画像を自動モードで撮像した場合の動作を図１、２および７を用いて説明する。
【００４４】
このような通常の明るさの画像の撮像を開始すると（Ｓ１）、輝度信号生成手段３は輝度信号を生成し、バッファ８は輝度信号の強度を記憶する（Ｓ２）。次に、夜景モードかどうかを判断すると（Ｓ３）、自動モードであるので、ステップＳ４に移行する。すると、演算処理手段７は、撮像画像の全画面の輝度信号の強度の平均値であるレベルＹと、ＡＦ評価枠内の１番目の評価ブロックの輝度信号の強度の平均値であるレベルｙを比較する。そうすると、撮像画像は全体として満遍なく明るい画像であるため、レベルｙはレベルＹの所定倍率未満となり、次の評価ブロックに関するステップＳ４の評価に移行する（Ｓ６）。次々に、評価ブロックを更新しつつステップＳ４の評価を行う結果、全評価ブロックについてステップＳ４の評価を行うこととなるが、撮像画像が全体として満遍なく明るい画像であるため、レベルｙがレベルＹの所定倍率以上の評価ブロックは見つからず（Ｓ５）、低周波評価データによるＡＦ動作（Ｓ７）に移行する。
【００４５】
ステップＳ７に移行すると、低周波フィルタ５は輝度信号から低周波評価データを生成し、演算処理手段７はその低周波評価データに基づいてレンズ駆動手段４を制御する。ここで、低周波フィルタ５が生成する低周波評価データは、撮像画像の全体が明るいため、低周波ノイズの影響が少なく、図７に示すような山型になる。
【００４６】
次に、フォーカスレンズ１を位置Ｃ０の近傍で矢印Ａ方向またはＢ方向に変動させると、演算処理手段７は、フォーカスレンズ１を矢印Ａ方向に移動させることにより低周波評価データが増加することを検知できる。そこで、演算処理手段７は、レンズ駆動手段４を制御してフォーカスレンズ１を矢印Ａ方向に駆動する（図７中の▲２▼）。その後、演算処理手段７はフォーカスレンズ１を矢印Ａ方向に移動しても低周波評価データが変化しないフォーカスレンズ１の位置（図７中の▲３▼）を検知できる（Ｓ８）。
【００４７】
次に、演算処理手段７は、高周波フィルタ６からの高周波評価データを受けて、フォーカスレンズ１を矢印Ａ方向に移動すると高周波評価データが増加することを検知する。そこで、演算処理手段７は、レンズ駆動手段４を制御してフォーカスレンズ１を矢印Ａ方向に駆動する（図７中の▲４▼）。その後、演算処理手段７はフォーカスレンズ１を矢印Ａ方向に移動しても高周波評価データが変化しないフォーカスレンズ１の合焦点位置としてＣ１を検知できる（Ｓ１０）。
【００４８】
以上のように、本発明の実施の形態に係るデジタルカメラは、通常の明るさの撮像画像においても迅速に焦点を合わせることが可能である。
【００４９】
以上のように、本発明の実施の形態によれば、本発明の実施の形態に係るデジタルカメラは、輝度信号生成手段３で生成された輝度信号に基づいて、低周波フィルタ５で生成された低周波評価データと高周波フィルタ６で生成された高周波評価データとのいずれかを選択し、選択した低周波評価データまたは高周波評価データに基づいてレンズ駆動手段４を制御する演算処理手段７を有するため、夜景であることを自動的に検知でき、かつ、夜景においても迅速に高輝度被写体に焦点を合わせることができる。
【００５０】
なお、本発明の実施の形態では、図２のステップＳ４の判定において、所定倍率としたが、具体的には、例えば３倍程度である。但し、３倍とは異なる倍率にしても良い。倍率を低くすると、ステップＳ４において「Ｙｅｓ」の判定をする場合の頻度が増し、倍率を高くすると「Ｎｏ」の判定をする場合の頻度が増す。
【００５１】
また、本発明の実施の形態では、撮像画像全面を１２×１２の１４４に分割して、評価ブロック毎に図２に示すステップＳ４の評価を行ったが、分割数は１４４に限らず、分割数を増しても構わない。
【００５２】
【発明の効果】
以上のように本発明は、撮像画像全体が暗い場合でも、撮像画像内の高輝度被写体に焦点を迅速に合わせることができるという優れた効果が得られる。
【図面の簡単な説明】
【図１】本発明の実施の形態１におけるデジタルカメラの構成を示すブロック図
【図２】同実施の形態１におけるデジタルカメラの動作を示すフローチャート
【図３】評価ブロックとＡＦ評価枠とを追加した画像を示す模式図
【図４】従来のデジタルカメラの構成を示すブロック図
【図５】低周波フィルタおよび高周波フィルタの振幅特性の空間周波数特性を示す特性図
【図６】従来のデジタルカメラの動作を示すフローチャート
【図７】通常の明るさの画像を撮像した場合の高周波評価データおよび低周波評価データを示す模式図
【図８】全体が暗く高輝度被写体を有する画像を示す模式図
【図９】全体が暗く高輝度被写体を有する画像を撮像した場合の高周波評価データおよび低周波評価データを示す模式図
【符号の説明】
１  フォーカスレンズ
２  ＣＣＤ
３  輝度信号生成手段
４  レンズ駆動手段
５  低周波フィルタ
６  高周波フィルタ
７  演算処理手段
８  バッファ
９  操作手段
【図１】
2004198699.tif 000003
【図２】
2004198699.tif 000004
【図３】
2004198699.tif 000005
【図４】
2004198699.tif 000006
【図５】
2004198699.tif 000007
【図６】
2004198699.tif 000008
【図７】
2004198699.tif 000009
【図８】
2004198699.tif 000010
【図９】
2004198699.tif 000011